(57)【特許請求の範囲】
【請求項１】
携帯装置を離脱可能に支持する支持部と、
前記支持部に対して回転可能に連結された脚部と、
前記脚部に平行にスライド可能に支持され、スライドに応じて前記脚部が前記支持部に対して閉じた閉状態及び開いた開状態で前記脚部をロック可能なスライダと、を備え、
前記支持部は、前記脚部と対向しながら相対回転する対向部、前記閉状態で前記脚部と対向し前記開状態で前記脚部から離れる離間部、を有し、
前記スライダは、前記閉状態及び開状態で前記対向部と係合可能な第１係合部、前記閉状態で前記離間部と係合可能な第２係合部、を有している、支持装置。
【請求項２】
前記携帯装置に接続可能なコネクタを有し、
前記支持部は、前記コネクタに接続された前記携帯装置を支持する、請求項１の支持装置。
【請求項３】
前記支持部は、前記コネクタに接続された前記携帯装置と対向する正面、前記脚部と対向する背面、前記正面と前記背面との間にある側面、を有し、
前記支持部の前記側面には、外部装置と前記コネクタに接続された前記携帯装置とを接続するための外部装置接続用のコネクタが設けられている、請求項２の支持装置。
【請求項４】
前記脚部は、前記支持部と対向する正面、前記正面の裏側にある背面、を有し、
前記脚部の前記背面は、平坦であり、
前記脚部は、前記脚部の前記正面側に突出し前記スライダを収納した厚肉部、前記厚肉部の両側部に形成され前記厚肉部よりも厚みが薄い薄肉部、を有している、請求項１乃至３の何れかの支持装置。
【請求項５】
前記スライダが前記脚部をロックする方向に付勢する付勢部材を備えている、請求項１乃至４の何れかの支持装置。
【請求項６】
前記スライダは、前記脚部に収納されている、請求項１乃至５の何れかの支持装置。
【請求項７】
請求項１乃至６の何れかの前記支持装置と、
前記携帯装置と、を備えた電子システム。
【発明の詳細な説明】
【技術分野】
【０００１】
本発明は、支持装置及び電子システムに関する。
【背景技術】
【０００２】
携帯装置を支持する支持装置が知られている。このような支持装置には、携帯装置を支持する支持部、支持部に回転可能に連結されて支持部を斜めの状態で支える脚部、支持部に対する脚部をロックするロック機構、を備えたものがある。
【先行技術文献】
【特許文献】
【０００３】
【特許文献１】特開平６−３１０８７３号公報
【特許文献２】特開２００６−２９２９０７号公報
【特許文献３】特開２００３−１１０６７７号公報
【発明の概要】
【発明が解決しようとする課題】
【０００４】
支持部と脚部との間にリンク機構を設けるロック機構が知られている。リンク機構の両端がそれぞれ支持部、脚部に固定されることにより、脚部はロックされる。このようなリンク機構において、例えば、一端が支持部に回転可能に連結され、他端は、脚部に設けられた突起にスライド可能に係合した長孔を備える。長孔には、脚部が開閉する動作の途中で突起がスライドする部分と、脚部が開いた状態で突起と係合する係合部とが形成されている。
【０００５】
閉じた状態の脚部を開く際には、支持部に対して脚部を回転させつつ、支持部に対して脚部が開いた状態でリンク機構の長孔の係合部に突部が係合するようにリンク機構は回転操作される。開いた状態の脚部を閉じる際には、長孔の係合部から突部が離脱するようにリンク機構が回転操作され、支持部に対して脚部が回転されつつリンク機構をも回転される。
【０００６】
このように、支持部と脚部とが回転可能に連結されているのみならず、リンク機構も支持部、脚部に回転可能に連結されている。このため、回転可能に連結された部分の数が多く、回転可能に連結された部分での摺動抵抗等により、脚部が開閉しづらい。
【０００７】
また、脚部を開閉する際には、支持部に対して脚部を回転させる作業と、リンク機構を回転させる作業との双方が強いられ、このような構造の支持装置は開閉作業が煩雑化している。
【０００８】
本発明は、脚部の開閉が容易な支持装置及びそれを備えた電子システムを提供することを目的とする。
【課題を解決するための手段】
【０００９】
本明細書に開示の支持装置は、携帯装置を離脱可能に支持する支持部と、前記支持部に対して回転可能に連結された脚部と、前記脚部に平行にスライド可能に支持され、スライドに応じて前記脚部が前記支持部に対して閉じた閉状態及び開いた開状態で前記脚部をロック可能なスライダと、を備えている。
【００１０】
本明細書に開示の電子システムは、前記支持装置と前記携帯装置とを備えている。
【発明の効果】
【００１１】
脚部の開閉が容易な支持装置及びそれを備えた電子システムを提供できる。
【図面の簡単な説明】
【００１２】
【図１】図１Ａは、本実施例の電子システムの外観図であり、図１Ｂは、携帯装置の説明図である。
【図２】図２は、開状態での支持装置の斜視図である。
【図３】図３は、開状態での支持装置の斜視図である。
【図４】図４は、閉状態での支持装置の斜視図である。
【図５】図５は、閉状態での支持装置の斜視図である。
【図６】図６は、脚部を分解した支持装置の図である。
【図７】図７は、脚部を分解した支持装置の図である。
【図８】図８は、ケースにスライダを組み付けた状態の図である。
【図９】図９は、支持装置の断面図である。
【図１０】図１０は、支持装置の断面図である。
【図１１】図１１は、支持装置の断面図である。
【図１２】図１２Ａは、支持部の厚みの説明図であり、図１２Ｂは、脚部の厚みの説明図である。
【発明を実施するための形態】
【００１３】
図１Ａは、本実施例の電子システムの外観図である。本実施例の電子システムは、支持装置１、支持装置１に着脱可能に連結された携帯装置１００、を含む。図１Ｂは、携帯装置１００の説明図である。携帯装置１００は、いわゆるタブレット型コンピュータである。携帯装置１００の筐体１０４の正面には、タッチパネルディスプレイＤが設けられている。また、筐体１０４の横側の縁には、スライドボタン１１２、１１３、複数のボタン１１０が設けられている。筐体１０４の下部側の縁にはコネクタ１００Ｃ、１００Ｐが設けられている。コネクタ１００Ｃは、後述する支持装置１のコネクタに接続される。携帯装置１００は、携帯時の駆動電力となる不図示のバッテリを備える。コネクタ１００Ｐは、外部電源が接続されるコネクタである。例えば、外部電源としてＡＣアダプタのプラグがコネクタ１００Ｐに差し込まれる。携帯装置１００は、このコネクタ１００Ｐから外部電力を受け、バッテリを充電する。また、携帯装置１００は、この外部電力によっても動作可能である。
【００１４】
支持装置１は、支持部１０、支持部１０に対して開閉可能に連結された脚部２０、を含む。支持装置１は、脚部２０が支持部１０に対して開いた開状態と、脚部２０が支持部１０に対して閉じた閉状態との間を移行可能である。支持装置１は、支持装置１に接続された携帯装置１００に、データの送受信や充電を行なうための機能を有している。支持装置１は、クレードルとも称される。
【００１５】
図２、３は、開状態での支持装置１の斜視図である。図４、５は、閉状態での支持装置１の斜視図である。図２、４は、支持装置１の正面側を示している。図３、５は、支持装置１の背面側を示している。図２、３に示すような開状態にある支持装置１に携帯装置１００が連結されると、支持装置１は携帯装置１００を傾斜した状態で支える。また、図４、５に示すように、支持装置１が閉状態になると、支持装置１が薄くなり支持装置１の携帯が容易になる。脚部２０は、支持部１０に対して所定の軸線周りに回転可能に連結されている。脚部２０は支持部１０よりも薄く形成されている。
【００１６】
支持部１０には、携帯装置１００のコネクタ１００Ｃが接続可能なコネクタＣ１が設けられている。コネクタＣ１はオス型であり、コネクタ１００Ｃはメス型である。支持部１０は、コネクタＣ１に接続された携帯装置１００に対向する正面１１、正面１１の裏側にある背面１２、正面１１と背面１２との間にある側面１３、を有している。また、支持部１０は、コネクタＣ１に接続された携帯装置１００の下部の縁を支える台部１７、を有している。携帯装置１００は、離脱可能に支持装置１の正面１１および台部１７に載置される。図２に示すように、正面１１、台部１７には複数のゴムＧが設けられている。これらゴムＧは、コネクタＣ１に接続された携帯装置１００が支持部１０によって傷がつくことを防止する。側面１３には、メス型のコネクタＣ２が複数設けられている。コネクタＣ２は、コネクタＣ１と電気的に接続している。コネクタＣ２は、コネクタＣ１に接続された携帯装置１００と外部装置との接続を行なうための外部装置接続用のコネクタである。コネクタＣ１に接続された携帯装置１００は、コネクタＣ２に接続された外部装置とデータの送受信が可能となる。
【００１７】
支持部１０の背面１２側には、厚肉部１２ａ、薄肉部１２ｂが形成されている。薄肉部１２ｂは、２つの厚肉部１２ａに挟まれるように位置している。薄肉部１２ｂは、背面１２の略中央に位置する。背面１２には被係合部１６が形成されている。詳しくは後述する。脚部２０は、支持部１０と対向する正面２１、正面２１の裏側にある背面２２、を含む。正面２１側からは、係合部４６が露出している。背面２２側からは操作部４７が露出している。詳しくは後述する。
【００１８】
図６、７は、脚部２０を分解した支持装置１の図である。脚部２０は、ケース２０Ｆ、２０Ｒを含む。ケース２０Ｆは、支持部１０側に位置し、ケース２０Ｒは、ケース２０Ｆの裏側に位置する。正面２１、露出口２６は、ケース２０Ｆに形成されている。背面２２、露出口２７は、ケース２０Ｒに形成されている。ケース２０Ｆ、２０Ｒが組み合うことにより、単一の筐体として機能する。ケース２０Ｆ、２０Ｒは、ケース２０Ｒ側に設けられたネジ孔ＮＨと、ケース２０Ｆを貫通したネジＮとにより組み付けられる。尚、図６に示すように、支持部１０の側面１４にはコネクタＣ２、Ｐ１が設けられている。コネクタＰ１は、外部電源が接続されるコネクタである。例えば、外部電源としてＡＣアダプタのプラグがコネクタＰ１に差し込まれる。そして、このコネクタＰ１から受ける外部力は、支持部１０のコネクタＣ１および携帯装置１００のコネクタ１１０Ｃを経由して携帯装置１００に供給される。前述と同様に、携帯装置１００は、この外部電力により、バッテリを充電したり、動作したりする。
【００１９】
脚部２０内にはスライダ４０がスライド可能に保持される。スライダ４０は、脚部２０に対して平行にスライドする。スライダ４０には、上端部に係合部４５、下端部にガイド棒４８が形成されている。係合部４５、ガイド棒４８は、互いに逆方向に延びている。
【００２０】
図７に示すように、ケース２０Ｆの中央部には２つのガイド板ＧＢが設けられている。スライダ４０は２つのガイド板ＧＢに挟まれるように配置される。ガイド板ＧＢのそれぞれには、長手方向に並んだ２つのガイド溝ＧＨが形成されている。スライダ４０の一方側の側面には、長手方向に並んだガイド突起ＧＰが形成されている。尚、スライダ４０の他方側の側面にも、同様のガイド突起ＧＰが設けられている。ガイド板ＧＢのガイド溝ＧＨにスライダ４０のガイド突起ＧＰが係合することにより、スライダ４０の長手方向でのスライド範囲が規定される。スライダ４０のケース２０Ｒと対向する面には操作部４７が設けられている。操作部４７は、ケース２０Ｒ側に突出している。スライダ４０のケース２０Ｆと対向する面には係合部４６が形成されている。係合部４６は、ケース２０Ｆ側、即ち支持部１０側に突出している。ケース２０Ｒには、スライダ４０の操作部４７を露出させるための露出口２７が形成されている、ケース２０Ｆには、スライダ４０の係合部４６を露出させるための露出口２６が形成されている。
【００２１】
ケース２０Ｆの上部、ケース２０Ｒの上部には、それぞれ半円筒状の半円筒部２９Ｆ、２９Ｒが形成されている。半円筒部２９Ｆ、２９Ｒは、支持部１０の背面１２側の上部に回転可能に連結されている。半円筒部２９Ｆ、２９Ｒは、支持部１０に対して回転可能に連結されたヒンジ部として機能する。ケース２０Ｆ、ケース２０Ｒが組み合わされると、半円筒部２９Ｆ、２９Ｒは協同して単一の略円筒状となる。半円筒部２９Ｒには、ネジ孔ＮＨが形成されており、半円筒部２９ＦにはネジＮが貫通する孔が形成されている。
【００２２】
図８は、ケース２０Ｆにスライダ４０を組み付けた状態の図である。ガイド棒４８は、脚部２０の支持板２８に形成された孔を貫通している。脚部２０の支持板２８は、ケース２０Ｆの下側に設けられている。スライダ４０のガイド棒４８は付勢部材Ｓを貫通しており、付勢部材Ｓはスライダ４０と支持板２８との間に圧縮した状態で配置されている。付勢部材Ｓは、コイルバネであるが、板バネであってもよい。これにより、スライダ４０は長手方向である方向Ｄ１に付勢されている。また、図８に示すように、ケース２０Ｆには、スライダ４０の係合部４５を逃がすための逃げ部２５が形成されている。逃げ部２５は、半円筒部２９Ｆに形成されている。半円筒部２９Ｆには、支持部１０と摺動可能に係合する溝２９１が形成されている。
【００２３】
図９〜１１は、支持装置１の断面図である。図９は、閉状態での支持装置１の断面図である。図１１は、開状態での支持装置１の断面図である。図１０は、閉状態から開状態に移行途中での支持装置１の断面図である。図９に示すように、支持部１０内には、剛性を有したプリント基板ＲＰが収納されている。プリント基板ＲＰにはコネクタＣＰが実装されている。コネクタＣ１は、フレキシブルプリント基板ＦＰ、コネクタＣＰを介してプリント基板ＲＰに電気的に接続されている。また、図９には示されていないが、支持部１０の側面１３、１４に設けられたコネクタＣ２もプリント基板ＲＰに電気的に接続されている。また、支持部１０内には、プリント基板ＲＰに接続され正面１１側に配置された板金３０、板金３０に導通接続され背面１２側に配置された板金５０、が収納されている。
【００２４】
支持部１０の上部には、半円筒部２９Ｆと対向した対向部１９が形成されている。対向部１９は、半円筒部２９Ｆに対応するように曲面状である。対向部１９は、脚部２０と対向しながら相対回転する対向部の一例である。換言すれば、対向部１９は、脚部２０の位置によらずに脚部２０と対向する。脚部２０は、対向部１９と対向し、ヒンジ部として機能する半円筒部２９Ｆ、２９Ｒを支点として回転するからである。対向部１９には、脚部２０の回転方向に並んだ被係合部１５１、１５２が形成されている。被係合部１５１、１５２は、それぞれ対向部１９に形成された貫通孔である。被係合部１５１、１５２は、凹状や底を有した穴であってもよい。また、支持部１０の被係合部１６が形成された個所は、閉状態で脚部２０と対向し開状態で脚部２０から離れる離間部の一例である。
【００２５】
図９に示すように、閉状態においては、スライダ４０の係合部４５は脚部２０の逃げ部２５から突出して被係合部１５１に係合しており、スライダ４０の係合部４６が支持部１０の被係合部１６に係合している。これにより、脚部２０は閉状態でロックされている。尚、スライダ４０は付勢部材Ｓにより方向Ｄ１に付勢されているので、脚部２０のロック状態が維持される。
【００２６】
ユーザは、操作部４７を掴んでスライダ４０を付勢部材Ｓの付勢力に抗して方向Ｄ１とは逆方向にスライドさせる。それにより、スライダ４０の係合部４５は被係合部１５１から離脱し、スライダ４０の係合部４６は支持部１０の被係合部１６から離脱する。この状態で、ユーザが支持部１０に対して脚部２０を回転させることにより、図１０に示すように、スライダ４０は脚部２０と共に支持部１０に対して回転する。
【００２７】
図１０に示した状態よりも更に回転させて、スライダ４０の係合部４５が被係合部１５２に対向する位置まで回転させる。この状態でユーザがスライダ４０の操作部４７を離すと、図１１に示すように、スライダ４０は付勢部材Ｓの付勢力に従って方向Ｄ１へ移動して係合部４５は被係合部１５２に係合する。これにより、脚部２０は開状態でロックされる。
【００２８】
開状態から閉状態に戻す場合には、ユーザはスライダ４０を付勢部材Ｓの付勢力に抗して方向Ｄ１とは逆方向にスライドさせて、スライダ４０の係合部４５を被係合部１５２から離脱させる。次に、脚部２０が支持部１０に向かうように回転させることにより、スライダ４０の係合部４５が被係合部１５１に係合し、スライダ４０の係合部４６を被係合部１６に係合させる。これにより、支持装置１は、開状態から閉状態に戻る。
【００２９】
尚、図９〜１１に示すように、被係合部１５２の周辺には、傾斜面１５３が形成されている。このため、係合部４５が被係合部１５２に係合した状態でユーザがスライダ４０をスライド操作させずに脚部２０を無理やり回転させた場合であっても、傾斜面１５３が被係合部１５２からの係合部４５の離脱を案内する。これにより係合部４５や対向部１９の破損が防止される。尚、傾斜面１５３は、付勢部材Ｓの付勢力に従って係合部４５が傾斜面１５３に当接した際には、係合部４５を被係合部１５２に案内する機能も有している。
【００３０】
スライダ４０の係合部４５は、閉状態では対向部１９の被係合部１５１に係合し、開状態では対向部１９の被係合部１５２に係合する。係合部４５は、前記閉状態及び開状態で対向部と係合可能な第１係合部の一例である。また、係合部４６は、閉状態で被係合部１６と係合する。係合部４６は、閉状態で離間部と係合可能な第２係合部の一例である。
【００３１】
対向部１９の被係合部１５１、１５２にそれぞれ係合部４５が係合可能である。対向部１９の被係合部１５１は、閉状態で第１係合部と係合可能な第１被係合部の一例である。対向部１９の被係合部１５２は、開状態で第１係合部と係合可能な第２被係合部の一例である。また、支持部１０の被係合部１６は、閉状態でスライダ４０の係合部４６に係合する。被係合部１６は、閉状態で第２係合部と係合可能な第３被係合部の一例である。
【００３２】
このように、脚部２０をロックする機能を有しているスライダ４０は、脚部２０に対して平行にスライド可能に支持されている。従って、支持部１０と脚部２０のみが回転可能に連結されている。ここで、例えば、支持部１０、脚部２０のそれぞれにリンク機構を設けて、このリンク機構により脚部２０をロックする構造が考えられる。しかしながら、このようなリンク機構は、回転可能に連結された箇所の数が増大し、脚部２０の開閉の際には、支持部１０、脚部２０が相対回転するのみらならず、リンク機構も回転させる必要がある。このようなリンク機構は、回転の際に生じる摺動抵抗により、脚部２０を開閉させにくくなるおそれがある。本実施例の支持装置１は、このようなリンク機構を設けずに脚部２０に平行にスライド可能なスライダ４０により脚部２０をロックする。これにより、リンク機構を設けた場合と比較して、本実施例の支持装置１は回転可能に連結されている箇所の数が減少している。このため、本実施例の支持装置１は、脚部２０の開閉が容易である。
【００３３】
スライダ４０は、脚部２０内に収納されている。これにより、スライダ４０の大部分は脚部２０により隠蔽されているので支持装置１の外観が向上している。また、スライダ４０が脚部２０により隠蔽されているので、支持装置１を携帯する際にスライダ４０が破損することが防止される。
【００３４】
閉状態においては、スライダ４０の係合部４５と係合部４６とが支持部１０に係合する。これにより、閉状態での支持部１０に対する脚部２０の密着性が向上し、閉状態での脚部２０のがたつきなどが防止される。閉状態で支持装置１を携帯している際に脚部２０が勝手に開くのが防止される。
【００３５】
コネクタＣ２は、支持部１０の正面１１と背面１２との間の側面１３、１４に設けられている。ここで、コネクタＣ２を背面１２に設けた場合、コネクタＣ２に差し込まれたケーブルが支持部１０と脚部２０と間に挟まれるおそれがある。また、コネクタＣ２へのケーブルの挿入作業において、脚部２０が邪魔をしてケーブルは挿入しにくいものとなる。本実施例の支持装置１では側面１３、１４にコネクタＣ２を設けることにより、上記のような問題を解消している。また、コネクタＣ２を背面１２に設けた場合、上記のような問題を解消するために、脚部２０の幅を支持部１０に比して小さくして脚部２０を小型化することが考えられる。しかしながら、脚部２０が小型化されると、脚部２０が安定して支持部１０を支持できないおそれがある。本実施例の支持装置１では、コネクタＣ２を支持部１０の背面１２に設けることなく支持部１０の側面１３、１４に設けることにより、これらの問題を解消している。
【００３６】
次に、支持部１０、脚部２０の厚みについて説明する。
図１２Ａは、支持部１０の厚みの説明図であり、図１２Ｂは、脚部２０の厚みの説明図である。尚、図１２Ａ、１２Ｂは、支持部１０、脚部２０の厚みの理解を容易にするための模式図である。図１２Ａに示すように、支持部１０の背面１２側には、両側部に厚肉部１２ａが形成され、厚肉部１２ａに挟まれるように薄肉部１２ｂが形成されている。図１２Ｂに示すように、脚部２０の正面２１側には、両側部に薄肉部２１ａ、薄肉部２１ａに挟まれるように厚肉部２１ｂが形成されている。薄肉部２１ａは、厚肉部２１ｂよりも薄い。厚肉部２１ｂは、脚部２０の正面２１側から突出するように形成されている。このように正面２１は凹凸状に形成されている。これに対し、脚部２０の背面２２は、略平坦である。厚肉部２１ｂ内に、スライダ４０が収納されている。
【００３７】
このように、脚部２０の背面２２が平坦であり、脚部２０の正面２１側の薄肉部２１ａが薄く形成されている。正面２１は、支持部１０と対向しているので、開状態で支持装置１を脚部２０側から見た場合には、平坦な背面２２が見え、凹凸状の正面２１側は見えにくい。また、正面２１の両側部には薄肉部２１ａが形成されているため、厚肉部２１ｂが見えにくい。これにより脚部２０が実際の厚みよりも薄く見え、支持装置１の外観が向上している。尚、支持部１０の厚肉部１２ａ、薄肉部１２ｂに、脚部２０の薄肉部２１ａ、厚肉部２１ｂが対応している。
【００３８】
また、脚部２０の背面２２が略平坦であるため、支持装置１が図４に示したように脚部２０の背面２２が机等に対面した状態で机等に配置された場合に、安定して配置される。また、背面２２が平坦であるため、閉状態の支持装置１をカバンなどに入れて携帯する際に、カバン内の他の物が支持装置１の背面２２に引っかかることがない。
【００３９】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４０】
尚、上記実施例においては、携帯装置の一例としてタブレット型コンピュータを例に説明したが、携帯装置はそれ以外であってもよい。例えば、ノート型コンピュータ、携帯電話、電子辞書、ＰＤＡ、ゲーム機、カメラ、音楽プレイヤー、ナビゲーション装置等である。上記支持装置１は、単なる充電器であってもよい。
【符号の説明】
【００４１】
１  支持装置
Ｃ１、Ｃ２  コネクタ
１０  支持部
１１  正面
１２  背面
１３  側面
１５１、１５２、１６  被係合部
１９  対向部
２０  脚部
２１ａ  薄肉部
２１ｂ  厚肉部
４０  スライダ
４５、４６  係合部
Ｓ  付勢部材
１００  携帯装置
【図１】
0005617684.tif 000002
【図２】
0005617684.tif 000003
【図３】
0005617684.tif 000004
【図４】
0005617684.tif 000005
【図５】
0005617684.tif 000006
【図６】
0005617684.tif 000007
【図７】
0005617684.tif 000008
【図８】
0005617684.tif 000009
【図９】
0005617684.tif 000010
【図１０】
0005617684.tif 000011
【図１１】
0005617684.tif 000012
【図１２】
0005617684.tif 000013